(57)【要約】【課題】操作を可能な限り簡素化して、スタンドアロン動作で個人情報の漏洩の心配もないセキュアな薬剤服用管理機能付き携帯型電子端末等を提供する。【解決手段】携帯型電子端末は、薬剤を服用すべき時期を示す服用タイミング情報２４と、服用すべき回数を示す服用回数情報２６と、必要に応じて一度に服用すべき薬剤の個数および種類を示す服用詳細情報２２とを設定する設定部１０と、服用タイミング情報２４に従って、設定されたタイミングで薬剤の服用時期が来たことを通知すると共に、服用回数情報２６に従って、設定された服用回数の通知が終了すると、通知機能をＯＦＦするよう制御する制御部１２と、薬剤の服用時期を通知する際に、必要な情報を表示するための表示部１４とを備える。【選択図】図３
2005285023.tif 000002
【特許請求の範囲】
【請求項１】
薬剤を服用すべき時期を示す服用タイミング情報(24)と、服用すべき回数を示す服用回数情報(26)と、必要に応じて一度に服用すべき薬剤の個数および種類を示す服用詳細情報(22)とを設定する設定部(10)と、
前記服用タイミング情報(24)に従って、設定されたタイミングで薬剤の服用時期が来たことを通知すると共に、前記服用回数情報(26)に従って、設定された服用回数の通知が終了すると、通知機能をＯＦＦするよう制御する制御部(12)と、
薬剤の服用時期を通知する際に、必要な情報を表示するための表示部(14)と、
を備えることを特徴とする薬剤服用管理機能付き携帯型電子端末。
【請求項２】
請求項１に記載の携帯型電子端末であって、さらに薬剤の服用時期を通知する際に携帯型電子端末本体を振動させるための振動体(18)を備えることを特徴とする薬剤服用管理機能付き携帯型電子端末。
【請求項３】
請求項１または２に記載の携帯型電子端末であって、さらに薬剤の服用時期を通知する際に、音声で服用時期を通知するためのスピーカ(19)を備えることを特徴とする薬剤服用管理機能付き携帯型電子端末。
【請求項４】
請求項１から３のいずれかに記載の携帯型電子端末であって、薬剤の服用時期を通知する際に前記表示部(14)に必要な情報を表示すると共に点滅させてなることを特徴とする薬剤服用管理機能付き携帯型電子端末。
【請求項５】
携帯型電子端末(100)にインストールされて使用される薬剤服用管理プログラムであって、
薬剤を服用すべき時期を示す服用タイミング情報(24)と、服用すべき回数を示す服用回数情報(26)と、必要に応じて一度に服用すべき薬剤の個数および種類を示す服用詳細情報(22)とを設定する機能と、
前記服用タイミング情報(24)に従って、設定されたタイミングで薬剤の服用時期が来たことを通知する機能と、
前記服用回数情報(26)に従って、設定された服用回数の通知が終了すると、通知機能をＯＦＦする自動終了機能と、
を携帯型電子端末(100)に実行させることを特徴とする薬剤服用管理プログラム。
【請求項６】
請求項１に記載の薬剤服用管理プログラムであって、前記プログラムがインターネットからダウンロード可能なＪＡＶＡ（登録商標）プログラムであることを特徴とする薬剤服用管理プログラム。
【請求項７】
請求項５または６に記載の薬剤服用管理プログラムを記録したコンピュータで読み取り可能な記録媒体または記憶した機器。
【請求項８】
請求項５または６に記載の薬剤服用管理プログラムを配布するための薬剤服用管理システムであって、
薬剤を処方する医療機関に対して識別情報を発行すると共に、前記識別情報に基づいて前記薬剤服用管理プログラムをダウンロード可能とするサーバ(42)と、
前記サーバ(42)とネットワークＮを通じて接続可能な携帯型電子端末(100)であって、前記サーバ(42)から前記薬剤服用管理プログラムをダウンロードすると共に該プログラムをスタンドアロンで実行可能な複数の携帯型電子端末(100)とを備えており、
前記携帯型電子端末(100)のユーザは予め前記識別情報の発行を受けた医療機関から該識別情報の通知を受け、前記携帯型電子端末(100)で前記サーバ(42)にアクセスすると共に、該識別情報を入力することで前記薬剤服用管理プログラムをダウンロードして実行可能とすると共に、
前記サーバ(42)は識別情報毎に、該プログラムのダウンロードを許可した回数をカウントして、該識別情報に該当する医療機関に対して請求を行うよう構成してなることを特徴とする薬剤服用管理システム。
【発明の詳細な説明】
【技術分野】
【０００１】
本発明は、処方箋に基づいて薬局等で手渡された薬剤の服用忘れや誤った服用を防止するための薬剤服用管理機能付き携帯型電子端末、薬剤服用管理プログラム、コンピュータで読み取り可能な記録媒体または記憶した機器並びに薬剤服用管理システムに関する。
【背景技術】
【０００２】
処方箋に基づいて調剤された薬剤は、服用の時期や一度に服用する薬剤の種類、錠剤個数等の服用条件に従うことで、所期の効能を発揮するものである。したがって、指定された条件通りの服用を行うことが必要となるが、一般に処方箋の指示通りに薬剤を服用する服用者（患者）は約半数に過ぎないと云われている。その主な理由は服用者の服用し忘れであり、特に高齢者になるほど服用の時機を失念してしまうことが多くなる。
【０００３】
このような薬剤の服用忘れを防止するために、例えば特許文献１〜３に開示されるような手法が開発されている。これらのシステムにおいては、決まった時期に電子メールで服用を通知するタイプが圧倒的に多い。例えば特許文献１に示す装置においては、処方箋に基づいて服用予定機会毎に薬剤名と服用量を設定した服用スケジュールを作成し、服用予定機会毎に服用催促通知を作成して服用者に電子メールで通知する。また予め服用者すなわちユーザが指定したタイミングで服用を促す電子メールを携帯端末に送信されるタイプもある。
【特許文献１】特開２００１−３２５３５９号公報
【特許文献２】特開２００３−１６１８５号公報
【特許文献３】特開２００４−６２５１３号公報
【発明の開示】
【発明が解決しようとする課題】
【０００４】
しかしながら、このように外部のシステムから電子メール送信を利用する方法においては、事前に外部システムに対して電子メールアドレスなどの個人情報を登録する必要があるため、個人情報が外部に漏洩する危険がある。特に近年、このようなネットワークを通じて登録された個人情報の漏洩が社会問題化しており、ユーザ側においても個人情報の登録に危機感を抱いたり、メールアドレスを含めた個人情報の開示、入力に抵抗感を覚えることが多くなりつつある。このような状況に鑑み、メールアドレスの入力が必須となる上記システムに代わる効果的に薬剤の服用忘れを防止できるシステムが望まれている。
【０００５】
一方で、スケジュール管理ソフトウェアをパーソナルコンピュータにインストールして使用し、薬の服用時期や種類を管理する方法もある。しかしながら、これらは概ね操作が面倒で入力や設定、操作等が煩雑になり、しかも常時コンピュータを起動しておく必要があるため、一般のユーザには不向きであった。特に、服用忘れが問題となる高齢者はこのようなコンピュータの操作に不慣れなことが多いため、実用的とは言い難い。
【０００６】
本発明は、従来のこのような問題点を解決するためになされたものである。本発明の主な目的は、操作を可能な限り簡素化して、スタンドアロン動作で個人情報の漏洩の心配もないセキュアな薬剤服用管理機能付き携帯型電子端末、薬剤服用管理プログラム、コンピュータで読み取り可能な記録媒体または記憶した機器並びに薬剤服用管理システムを提供することにある。
【課題を解決するための手段】
【０００７】
上記の目的を達成するために、本発明の薬剤服用管理機能付き携帯型電子端末は、薬剤を服用すべき時期を示す服用タイミング情報２４と、服用すべき回数を示す服用回数情報２６と、必要に応じて一度に服用すべき薬剤の個数および種類を示す服用詳細情報２２とを設定する設定部１０と、服用タイミング情報２４に従って、設定されたタイミングで薬剤の服用時期が来たことを通知すると共に、服用回数情報２６に従って、設定された服用回数の通知が終了すると、通知機能をＯＦＦするよう制御する制御部１２と、薬剤の服用時期を通知する際に、必要な情報を表示するための表示部１４とを備える。
【０００８】
また本発明の他の携帯型電子端末は、さらに薬剤の服用時期を通知する際に携帯型電子端末本体を振動させるための振動体１８を備える。
【０００９】
さらに本発明の他の携帯型電子端末は、さらに薬剤の服用時期を通知する際に、音声で服用時期を通知するためのスピーカ１９を備える。
【００１０】
さらにまた、本発明の他の携帯型電子端末は、薬剤の服用時期を通知する際に表示部１４に必要な情報を表示すると共に点滅させることができる。
【００１１】
また本発明の薬剤服用管理プログラムは、携帯型電子端末１００にインストールされて使用される薬剤服用管理プログラムであって、薬剤を服用すべき時期を示す服用タイミング情報２４と、服用すべき回数を示す服用回数情報２６と、必要に応じて一度に服用すべき薬剤の個数および種類を示す服用詳細情報２２とを設定する機能と、服用タイミング情報２４に従って、設定されたタイミングで薬剤の服用時期が来たことを通知する機能と、服用回数情報２６に従って、設定された服用回数の通知が終了すると、通知機能をＯＦＦする自動終了機能とを携帯型電子端末１００に実行させる。
【００１２】
さらに本発明の他の薬剤服用管理プログラムは、プログラムがインターネットからダウンロード可能なＪＡＶＡ（登録商標）プログラムである。
【００１３】
また本発明のコンピュータで読み取り可能な記録媒体または記憶した機器は、上記薬剤服用管理プログラムを記録している。記録媒体には、ＣＤ−ＲＯＭ、ＣＤ−Ｒ、ＣＤ−ＲＷやフレキシブルディスク、磁気テープ、ＭＯ、ＤＶＤ−ＲＯＭ、ＤＶＤ−ＲＡＭ、ＤＶＤ−Ｒ、ＤＶＤ−ＲＷ、ＤＶＤ＋Ｒ、ＤＶＤ＋ＲＷ、Ｂｌｕ−ｒａｙ、ＨＤ  ＤＶＤ（ＡＯＤ）等の磁気ディスク、光ディスク、光磁気ディスク、半導体メモリその他のプログラムを格納可能な媒体が含まれる。またプログラムには、上記記録媒体に格納されて配布されるものの他、インターネット等のネットワーク回線を通じてダウンロードによって配布される形態のものも含まれる。さらに記憶した機器には、上記プログラムがソフトウェアやファームウェア等の形態で実行可能な状態に実装された汎用もしくは専用機器を含む。さらにまたプログラムに含まれる各処理や機能は、コンピュータで実行可能なプログラムソフトウエアにより実行してもよいし、各部の処理を所定のゲートアレイ（ＦＰＧＡ、ＡＳＩＣ）等のハードウエア、又はプログラムソフトウエアとハードウェアの一部の要素を実現する部分的ハードウエアモジュールとが混在する形式で実現してもよい。
【００１４】
さらに本発明の薬剤服用管理システムは、上記薬剤服用管理プログラムを配布するための薬剤服用管理システムであって、薬剤を処方する医療機関に対して識別情報を発行すると共に、識別情報に基づいて薬剤服用管理プログラムをダウンロード可能とするサーバ４２と、サーバ４２とネットワークＮを通じて接続可能な携帯型電子端末１００であって、サーバ４２から薬剤服用管理プログラムをダウンロードすると共に該プログラムをスタンドアロンで実行可能な複数の携帯型電子端末１００とを備えている。このシステムは、携帯型電子端末１００のユーザは予め識別情報の発行を受けた医療機関から該識別情報の通知を受け、携帯型電子端末１００でサーバ４２にアクセスすると共に、該識別情報を入力することで薬剤服用管理プログラムをダウンロードして実行可能とすると共に、サーバ４２は識別情報毎に、該プログラムのダウンロードを許可した回数をカウントして、該識別情報に該当する医療機関に対して請求を行うよう構成している。
【発明の効果】
【００１５】
本発明の薬剤服用管理機能付き携帯型電子端末、薬剤服用管理プログラム、コンピュータで読み取り可能な記録媒体または記憶した機器並びに薬剤服用管理システムによれば、予め設定された服用タイミングに携帯型電子端末が自動的に通知機能を動作させてユーザに薬剤服用を告知するため、時機を逸することなく確実に服用できる。また、同時に薬剤の種類や個数などの注意事項も併せて表示することにより、誤服用のおそれも解消できる。さらに外部から電子メール等の手段で通知するのと異なり、携帯型電子端末自体で動作が完結するスタンドアロンでの運用が可能であり、個人情報が漏洩する心配がない。さらにまた携帯可能な電子端末であるため、ユーザが薬局や医院などに持参することができ、これによって操作に不慣れなユーザに代わって薬剤の引き渡し時などに薬局で薬剤服用の必要な設定をユーザに代わって行うことができる。このため、機械操作に詳しくない高齢者などでも安心して使用することができる。
【発明を実施するための最良の形態】
【００１６】
以下、本発明の実施の形態を図面に基づいて説明する。ただし、以下に示す実施の形態は、本発明の技術思想を具体化するための薬剤服用管理機能付き携帯型電子端末、薬剤服用管理プログラム、コンピュータで読み取り可能な記録媒体または記憶した機器並びに薬剤服用管理システムを例示するものであって、本発明は薬剤服用管理機能付き携帯型電子端末、薬剤服用管理プログラム、コンピュータで読み取り可能な記録媒体または記憶した機器並びに薬剤服用管理システムを以下のものに特定しない。さらに、本明細書は、特許請求の範囲を理解し易いように、実施の形態に示される部材に対応する番号を、「特許請求の範囲の欄」、及び「課題を解決するための手段の欄」に示される部材に付記している。ただ、特許請求の範囲に示される部材を、実施の形態の部材に特定するものでは決してない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１７】
本明細書において薬剤服用管理機能付き携帯型電子端末、薬剤服用管理プログラム、コンピュータで読み取り可能な記録媒体または記憶した機器並びに薬剤服用管理システムは、薬剤服用管理に関する操作や表示、設定を行うシステムそのもの、ならびに薬剤服用管理の操作、表示、設定等に関連する入出力、表示、演算、通信その他の処理をハードウェア的に行う装置や方法に限定するものではない。ソフトウェア的に処理を実現する装置や方法も本発明の範囲内に包含する。例えば汎用の回路やコンピュータにソフトウェアやプログラム、プラグイン、オブジェクト、ライブラリ、アプレット、スクリプレット、コンパイラ、モジュール、特定のプログラム上で動作するマクロ等を組み込んで蛍光顕微鏡の画像表示そのものあるいはこれに関連する処理を可能とした汎用あるいは専用のコンピュータ、ワークステーション、端末、携帯型電子機器その他の電子デバイスも、本発明の薬剤服用管理機能付き携帯型電子端末、薬剤服用管理プログラム、コンピュータで読み取り可能な記録媒体または記憶した機器並びに薬剤服用管理システムの少なくともいずれかに含まれる。また本プログラムは単体で使用するものに限られず、特定のコンピュータプログラムやソフトウェア、サービス等の一部として機能する態様や、必要時に呼び出されて機能する態様、ＯＳ等の環境においてサービスとして提供される態様、環境に常駐して動作する態様、バックグラウンドで動作する態様やその他の支援プログラムという位置付けで使用することもできる。
【００１８】
図１に、本発明の一実施の形態に係る携帯型電子端末のブロック図を示す。図１に示す携帯型電子端末１００は、必要な情報を設定するための設定部１０と、設定に従い必要な制御を行う制御部１２と、必要な情報を表示するための表示部１４と、外部と通信を行うための通信部１６とを備える。なお、この構成は専用のハードウェアで実現することもできるが、好ましくは汎用のハードウェアで構成し、薬剤服用管理プログラムを実行させることで仮想的に必要な機能を実現する。以下の例では、汎用の携帯型電子端末１００に薬剤服用管理プログラムをインストールした構成について説明する。
（携帯型電子端末１００）
【００１９】
携帯型電子端末１００は携帯電話、ＰＤＡ（Personal Digital Assistant）、ハンドヘルド型コンピュータ、ラップトップコンピュータ、ページャ、ＧＰＳ等のナビゲーションシステムといった携帯可能な電子機器が該当するが、好適には広く普及している汎用の携帯電話１００Ａが利用できる。以下、本実施の形態では携帯型電子端末１００として図２に示すような携帯電話１００Ａを使用する例について説明する。携帯型電子端末１００として携帯電話１００Ａなど携帯可能な機器を使用することにより、設定や操作が面倒な場合は代行を依頼しやすいという利点が得られる。すなわち、処方薬や一般用医薬品などの薬剤を薬局や医院で服用者が受け取る際に、自分の携帯電話１００Ａ等を持ち込むことでその薬剤に合わせた設定を窓口で行ってもらうことができる。これによって操作に不慣れな高齢者などでも、確実に服用スケジュールを管理できるようになり、従来の問題点であった複雑な操作を行えないユーザが機能を使いこなすことができないという問題を回避でき、薬剤服用管理の恩恵を享受できる。
（設定部１０）
【００２０】
設定部１０は、服用者であるユーザが薬剤服用条件を設定するための部材であり、入力デバイス１０Ａからの入力によって設定される。設定部１０の入力デバイス１０Ａは、図２に示すように携帯電話１００Ａにおいてはキーパッドやジョグダイヤルなどの操作ボタン類である。ここでは、薬剤服用条件として、薬剤を服用すべき時期を示す服用タイミング情報２４と、服用すべき回数を示す服用回数情報２６と、一度に服用すべき薬剤の個数および種類を示す服用詳細情報２２とを設定する。これらの情報は、すべてを入力する必要はなく、例えば服用タイミング情報２４と服用回数情報２６のみとすることもできる。入力項目を少なくすることで、操作を簡略化できる。また、より詳細な情報を付加することも可能であり、例えば薬剤名やその写真、形状などの情報を適宜追加できる。
（制御部１２）
【００２１】
制御部１２は、設定部１０で設定された薬剤服用条件に従って所定の動作を行うための制御を行う。ここでは、薬剤服用条件の内、服用タイミング情報２４に従って、指定された日時および時間に、薬剤の服用時期が来たことを通知する薬剤服用メッセージ３６を表示する。また、薬剤服用メッセージ３６の表示と共に、必要に応じて振動体１８を駆動して携帯型電子端末１００本体を振動させることにより薬剤服用通知を物理的にユーザに伝えたり、あるいはスピーカ１９から音声案内を流す、表示部１４での表示にハイライト表示や反転表示を加えたり、点滅、発光色の周期的な変更といった強調処理を加えることもできる。このように複数の手段を組み合わせて、服用者が薬剤服用通知を見逃すことのないよう喚起される。ここで、振動体１８は携帯電話１００Ａのバイブレータが、スピーカ１９は音声再生用のスピーカと兼用させることができ、携帯電話の既存の部材を利用してこれらの機能を実現でき、専用の部材を新たに付加することなく安価に実現できる利点が得られる。
（表示部１４）
【００２２】
表示部１４は、上述の通り薬剤服用メッセージ３６の表示や、設定部１０での薬剤服用条件の設定や設定内容の確認を行うための部材である。図２に示すように、表示部は携帯電話１００Ａの液晶表示ディスプレイ１４Ａが利用できる。また通信部１６は、外部機器と通信を行い、薬剤服用管理プログラムをダウンロードして制御部１２にインストールする。以下、表示部１４で表示される薬剤服用管理プログラムの画面イメージに基づき、各機能を説明する。
（薬剤服用条件の設定）
【００２３】
図３は、薬剤服用条件の設定を行うＧＵＩ画面イメージの一例である。ユーザは薬剤服用管理プログラムを起動し、「お薬スケジュール設定」を選択すると、図３のような１個目の薬剤を登録する薬剤服用条件設定画面２０が表示部１４に表示される。この画面から、ユーザは入力デバイス１０Ａを操作して上記の通り薬剤服用条件として服用タイミング情報２４と服用回数情報２６と服用詳細情報２２とを入力する。ユーザは、服用する薬剤の入った薬剤袋の表面に書かれた注意書きを見ながら、各項目を手動で入力していく。また特定の項目については、入力を容易にするためプルダウンメニューからの選択式とすることもできる。あるいは代表的な薬の種類とその薬剤服用条件をセットにして記録したルックアップテーブルを予め用意しておき、薬の種類を選択することで薬剤服用条件が自動的に入力されるよう構成してもよい。
【００２４】
図３の例では、上から順に「お薬の種類」、「１回の服用数」２３、「服用の時期」、「服用回数」が表示されている。「お薬の種類」は薬の種別を特定するための服用詳細情報２２として薬の名称を指定する。ただ、名称以外にも複数の薬剤を区別できる限りにおいては薬の機能や形状、色、大きさ等で特定することもできる。例えば「頭痛薬」、「解熱剤」といった機能別、「カプセル薬」、「タブレット薬」といった形状別に表示させてもよい。また、これらの特徴種別を複数組み合わせて識別することもできる。例えば、薬のイメージを写真やイラストで併記することもでき、これによってユーザは視覚的に薬剤を識別できる。また「１回の服用数」２３も、服用詳細情報２２として一度に服用すべき錠剤数を指定する。
【００２５】
一方、「服用の時期」は薬剤の服用時期を示す服用タイミング情報２４であり、薬剤服用条件の設定において中心となる情報である。ここでは、一例として「朝夕２回」を設定しており、この設定に従い自動的に朝夕それぞれの服用時間の詳細が服用タイミング詳細設定欄２５から設定可能となる。この時間はユーザや医師が適切な値に調整変更することも可能である。また、毎食後、毎食前、毎食中などの食事に関連した服用時期を設定する場合は、図４に示す設定画面に自動的に切り替わり、服用タイミング詳細設定欄２５Ｂとして食前後の服用時間と共に、各食事の時間を設定する。この設定に従って薬剤服用通知が実行されるため、この画面ではユーザ毎に大体の食事時間を指定する。
【００２６】
最後に「服用回数」として、服用回数情報２６を設定する。図３の例では、「服用の時期」での設定に応じて一日当たりの服用回数が自動的に設定されるので、ユーザは与えられた薬剤が何日分に相当するかの日数を入力する。この服用回数情報２６にしたがって、制御部１２は薬剤服用通知を繰り返し行い、指定された回数または日数が経過すると自動的に薬剤服用通知機能を停止する。
【００２７】
また、服用回数情報２６の指定は薬剤の日数でなく、例えば供与された薬剤の総個数や延べ服用回数で表示させてもよい。あるいは図５に示すように、カレンダー２７で表示させることもできる。図５の例では、服用開始日に右三角を、服用終了日に左三角を表示させ、その間の服用期間をハイライト表示させている。このようなタイムライン式のスケジュール表示によって服用回数情報を表示あるいは設定することもでき、あるいはユーザの嗜好に応じて切り替え可能としてもよい。
【００２８】
薬剤服用条件の入力が完了すると、「次へ」ボタン２８を押下することで設定が確定され、さらに別の薬剤の薬剤服用条件が設定可能となる。このとき、図３の画面右上に設けられた薬剤服用条件設定番号３０がカウントアップする。なおこの例では、設定数に応じて薬剤服用条件設定番号３０は自動的に設定される。すなわち、１個の薬剤服用条件が設定されると「１／１」と表示され、２個目の薬剤服用条件の設定を開始すると「２／２」と表示され、３個目の薬剤服用条件の設定を開始すると「３／３」と表示される。ただ、これらの数字をユーザが直接編集するようにしてもよい。以上のようにして、服用すべき薬剤毎に薬剤服用条件を繰り返し設定していく。すべての薬剤の薬剤服用条件の設定が完了すると、「終了」ボタン３２を押下することで「お薬スケジュール設定」が終了する。なお、薬剤服用条件を修正する場合は、「戻る」ボタン３４を押下することで以前に設定された薬剤服用条件の画面に戻ることができ、修正後「次へ」ボタン２８または「終了」ボタン３２を押下して修正内容を反映させる。あるいは、薬剤服用条件設定番号３０を直接変更することでも、所望の薬剤についての薬剤服用条件設定画面２０にジャンプすることができる。
（薬剤服用メッセージ３６）
【００２９】
上記のようにして設定された薬剤服用条件に従って、制御部１２は表示部１４に薬剤服用メッセージ３６を表示する。図６〜図９に、薬剤服用メッセージ３６の一例を示す。図６は、薬剤の服用時間が指定されている場合の薬剤服用メッセージ３６である。このように、指定した時刻になると薬剤服用通知を実行し、表示部１４に現在時刻と共に、服用すべき薬剤に関する情報、ここでは薬剤の種類と個数を表示する。同時刻に設定された薬剤は一つの薬剤服用メッセージ３６にまとめて表示される。一画面で表示しきれない場合は、画面を上下左右にスクロールさせたて表示させる。あるいは画面を縮小表示することで、一画面に表示できる情報量を多くすることもできる。なお、服用時期が厳密に要求されない薬剤については、薬剤服用メッセージが度々表示されないよう、例えば１時間以内の薬剤服用メッセージを一度にまとめて表示するようにしてもよい。これによって、ある時間帯の薬剤服用通知をまとめて通知でき、ユーザは煩雑さから解放される。
【００３０】
一方図７は、食事時間と関連する薬剤の場合の薬剤服用メッセージ３６Ｂの一例である。食事時間は毎日同じであるとは限らないため、ユーザが指定した時刻に薬剤服用通知として、「夕食後３０分以内に」といった指示を表示する。このように、服用タイミング情報２４に応じて、薬剤服用メッセージを変更することで、適切な指示をユーザに通知することができる。
【００３１】
また図８は、薬剤のイメージ３８を併記した薬剤服用メッセージ３６Ｃの一例を示している。ここでは、薬剤「ＸＹＺ錠」の形状に対応するイメージ３８を薬剤名とともに表示し、さらに薬剤の服用数に応じて薬剤イメージ３８の数も変化させて（図８の例ではカプセル錠を２つ）表示している。これによって、ユーザは視覚的に薬剤の種別を認識できるので、誤服用の防止に繋がる。またこの例に限られず、実際の薬剤の写真を表示したり、表示部１４がカラー液晶などカラー表示可能な場合は色付で表示させてもよく、これによりさらに視覚的な認識を確実にできる。
【００３２】
なお、服用回数情報２６に従い最後の薬剤服用メッセージが表示されると、ユーザに今回が最後の通知であることを告知することもできる。例えば図９に示すように、終了メッセージ３９を表示し、継続服用や定期検診など、必要な情報を併せて表示させることもできる。これによって、ユーザは服用が完了したことを把握でき、必要に応じて以後の処置を検討できる。
（薬剤服用管理プログラム）
【００３３】
以上の機能を実現する薬剤服用管理プログラムは、服用者が保有する携帯型電子端末１００にインストールされてスタンドアロンで実行可能である。これにより、インストール後はサーバ等とのアクセスが不要であり、電子メールアドレスなどの個人情報が漏洩する心配がなく利用者が安心して利用できる。なお薬剤服用管理プログラムは、ＪＡＶＡ（登録商標）やＣ等のプログラム言語で記述される。好ましくはＪＡＶＡ（登録商標）プログラムとすることで、ＯＳなどのハードウェア環境に依存せずどのような携帯型電子端末でも実行できる。またプログラムサイズが比較的小さいため、ダウンロードして実行するプログラムとして好適に利用できる利点も得られる。
（ユーザＩＤの発行）
【００３４】
次に、この薬剤服用管理プログラムを配布及びインストールする形態について、図１０に基づいて説明する。この図に示す薬剤服用管理システム４００は、薬剤服用管理プログラムの配布者が設置したサーバ４２と、薬局や医院に配置されたコンピュータ４４と、服用者の所持する携帯型電子端末１００とが、インターネットなどのネットワークＮを介して接続されている。プログラム配布者のサーバ４２は、所定のアドレスやＵＲＬにて登録されたダウンロードサイトにおいて、薬剤服用管理プログラムをダウンロード可能な状態に保持している。まず医療機関が、プログラム配布者に対して識別情報（ここではユーザＩＤ）の発行を申請する。ここで医療機関とは、主に薬剤を処方する医院または薬局を指すが、処方箋発行の有無に拘わらず医療機関全般が該当し、処方箋を発行することなく病院内で薬剤を調剤して服用者に提供する医院の他、医師の発行した処方箋に基づいて調剤した薬剤を提供する薬局も含まれる。これに対してプログラム配布者は申請に基づき所定のユーザＩＤを発行する。このユーザＩＤの発行は、ネットワークＮを介して電子的に行うこともできるし、郵便やＦＡＸなどによる既存の申請方法としてもよい。
（薬剤服用管理プログラムのダウンロード）
【００３５】
そして、これら薬局や医院は服用者に薬剤を提供する際に、このユーザＩＤとダウンロードサイトの情報を告知する。服用者は、自身の所有する携帯型電子端末１００を操作して指定されたダウンロードサイトにアクセスする。アクセスは、携帯型電子端末１００で指定されたホームページアドレスやＵＲＬを直接入力する他、メニューや階層形式、ツリー形式等により所定の手順を辿ることにより目的のダウンロードサイトに到達することもできる。例えばｉ−ｍｅｎｕ（登録商標）やＪ−Ｓｋｙ（登録商標）、ＥＺｗｅｂ（登録商標）などが利用できる。そしてダウンロードサイトにアクセスした後、提示されたユーザＩＤにてログオンを行い、薬剤服用管理プログラムをダウンロードしてインストールする。ダウンロード及びインストールは、シームレスに行うこともできる。そして薬剤服用管理プログラムを起動し、上記の薬剤服用条件設定画面２０を呼び出して薬剤服用条件の設定を行う。またダウンロードや設定などの操作を服用者自身ができない場合は、薬局や医院の窓口に携帯型電子端末１００を持ち込んでこれらの操作を代行してもらうこともできる。このようにして自身の携帯型電子端末にインストールされた薬剤服用管理プログラムを実行して、上記の薬剤服用管理を行える。
【００３６】
一方で、サーバ４２側は入力されたユーザＩＤを発行済みユーザＩＤと照合して薬剤服用管理プログラムのダウンロード認否を行う。同時に、プログラムのダウンロード回数をユーザＩＤ毎に集計し、集計数に応じてプログラムの使用料を計算し、医療機関に対して請求書を発行する。
【００３７】
この方法によれば、ユーザである服用者は、指定されたサーバ４２にアクセスして薬剤服用管理プログラムをダウンロードした後、ネットワーク接続を解除してスタンドアロンで薬剤服用管理プログラムを利用できる。またダウンロードする際のアクセス権認証は、あくまでも薬局や医院に付与されたユーザＩＤであり、ユーザのメールアドレス等個人情報に関する情報を開示する必要がない。これによって、ユーザは抵抗感なく利用できる。しかも、ユーザＩＤの認証によってダウンロード回数をカウントできるので、サーバ４２側においては必要な情報を管理でき、例えばダウンロード回数に基づく課金などを行える。
（物理的な接続によるプログラム配布）
【００３８】
また、上記のようなネットワークＮを介したサーバ４２との接続に限られず、物理的な接続により薬剤服用管理プログラムをユーザの携帯型電子端末にインストールすることもできる。例えば記録媒体に格納された薬剤服用管理プログラムをインストールする方法や、ケーブルなどで外部接続機器と接続してプログラムを転送、インストールする方法などが利用できる。記録媒体は、例えば半導体メモリや光・磁気記録媒体を携帯型電子端末に備えられたメモリカードスロット等に挿入されて、記録媒体に格納された薬剤服用管理プログラムをインストールする。またケーブルを使用する方法では、薬剤服用管理プログラムを格納したコンピュータや他の携帯型電子端末等の外部機器とシリアルケーブルや無線通信等で通信可能な状態に接続し、薬剤服用管理プログラムを転送してインストールする。例えばクレードルなどを介してホスト機と通信可能な携帯型電子端末であればこの方法が利用できる。また、薬局や医院の窓口において、ユーザが持ち込んだ携帯型電子端末と接続して薬剤服用管理プログラムをインストールできる。
【００３９】
これらの方法であれば、ユーザの携帯型電子端末をネットワークに接続する必要がないので、個人情報漏洩の危険はさらに低減され、またウィルス感染などの心配もなく、より安全に薬剤服用管理プログラムをインストールできる。さらにプログラムをサーバに登録する手間やコストも低減でき、またプログラムの違法コピーや改竄も阻止できる。
【産業上の利用可能性】
【００４０】
本発明により、携帯電話に薬剤の服用忘れを防止するプログラムをインストールし、服用タイミングの通知機能を付加できる。
【図面の簡単な説明】
【００４１】
【図１】本発明の一実施の形態に係る携帯型電子端末の構成を示すブロック図である。
【図２】携帯型電子端末として携帯電話を使用する例を示す正面図である。
【図３】薬剤服用条件の設定を行う画面の一例を示すイメージ図である。
【図４】薬剤服用条件の設定を行う画面の他の例を示すイメージ図である。
【図５】服用回数情報の指定を行う一例を示すイメージ図である。
【図６】薬剤の服用時間が指定されている場合の薬剤服用メッセージの一例を示すイメージ図である。
【図７】食事時間と関連して服用時間が指定されている場合の薬剤服用メッセージの一例を示すイメージ図である。
【図８】図７の薬剤服用メッセージに薬剤のイメージを併記する例を示すイメージ図である。
【図９】指定の薬剤服用回数に達した終了メッセージの一例を示すイメージ図である。
【図１０】本発明の一実施の形態に係る薬剤服用管理システムを示すブロック図である。
【符号の説明】
【００４２】
１００…携帯型電子端末；１００Ａ…携帯電話
１０…設定部；１０Ａ…入力デバイス
１２…制御部
１４…表示部；１４Ａ…液晶表示ディスプレイ
１６…通信部
１８…振動体
１９…スピーカ
２０…薬剤服用条件設定画面
２２…服用詳細情報
２３…「１回の服用数」
２４…服用タイミング情報
２５、２５Ｂ…服用タイミング詳細設定欄
２６…服用回数情報
２７…カレンダー
２８…「次へ」ボタン
３０…薬剤服用条件設定番号
３２…「終了」ボタン
３４…「戻る」ボタン
３６、３６Ｂ、３６Ｃ…薬剤服用メッセージ
３８…薬剤イメージ
３９…終了メッセージ
４００…薬剤服用管理システム
４２…サーバ
４４…薬局・医院のコンピュータ
Ｎ…ネットワーク
【図１】
2005285023.tif 000003
【図２】
2005285023.tif 000004
【図３】
2005285023.tif 000005
【図４】
2005285023.tif 000006
【図５】
2005285023.tif 000007
【図６】
2005285023.tif 000008
【図７】
2005285023.tif 000009
【図８】
2005285023.tif 000010
【図９】
2005285023.tif 000011
【図１０】
2005285023.tif 000012